(57)【要約】【課題】遠隔地にいる利用者が、容易に、かつ、自分の目で実際に観察するのと同じように、撮影対象物の映像を閲覧することの可能なシステムを実現する。【解決手段】全体像撮像装置１で撮影対象物の全体像を撮影する。詳細像撮像端末２で撮影対象物全体からその一部分の詳細像へとクローズアップする動画像を撮影する。映像配信サーバ４は、全体像，動画像，それらを関連付けするリンク情報を映像ＤＢ３に格納する。そして、映像配信サーバ４は、利用者端末５からの要求に応じて全体像とリンク情報を利用者端末５に配信して、撮影対象物の全体像を表示させる。ここで、利用者端末５にてリンク情報が選択されると、関連付けされた動画像を利用者端末５に配信し、当該部分の詳細像をクローズアップ表示させる。【選択図】　図４
2004070872.tif 000002
【特許請求の範囲】
【請求項１】
撮影対象物の全体像、前記撮影対象物全体からその一部分の詳細像へとクローズアップする動画像、および、前記全体像に前記動画像を関連付けするリンク情報を記憶した映像記憶手段に接続され、
利用者端末からの要求に応じて前記映像記憶手段に記憶された前記全体像および前記リンク情報を前記利用者端末に送信して、前記撮影対象物全体の画像を表示させるとともに、
前記利用者端末にて前記リンク情報が選択された場合に、関連付けされた前記動画像を前記利用者端末に送信し、当該部分の詳細像をクローズアップ表示させる映像配信サーバ。
【請求項２】
前記全体像と、前記動画像との位置合わせを行うための位置合わせ手段を備えた請求項１記載の映像配信サーバ。
【請求項３】
前記位置合わせ手段は、
前記全体像と、前記動画像を撮影する詳細像撮像手段で撮像した第２全体像とに基づいて、前記詳細像撮像手段による前記動画像の撮影開始位置を調整するための位置合わせ状態情報を生成する請求項２記載の映像配信サーバ。
【請求項４】
前記位置合わせ状態情報は、前記全体像と前記第２全体像とを重ね合わせた画像を含む請求項３記載の映像配信サーバ。
【請求項５】
前記利用者端末にて前記動画像による詳細像を撮影すべき部分を指定可能とする撮影個所指定手段を有する請求項１〜４のうちいずれか１項記載の映像配信サーバ。
【請求項６】
前記撮影個所指定手段は、前記利用者端末に前記全体像を表示して、表示画像の一部分を選択させることにより撮影個所の指定を行わしめる請求項５記載の映像配信サーバ。
【請求項７】
請求項１または２記載の映像配信サーバと通信可能に接続され、
前記撮影対象物全体からその一部分の詳細像へとクローズアップする前記動画像を撮影する手段と、
撮影した前記動画像を前記映像配信サーバに送信する手段と、
を備える詳細像撮像端末。
【請求項８】
請求項２記載の映像配信サーバと通信可能に接続され、
前記撮影対象物の第２全体像を撮影する手段と、
撮影した前記第２全体像を前記映像配信サーバに送信する手段と、
前記位置合わせ手段が、前記全体像と前記第２全体像とに基づいて生成した、当該詳細像撮像端末による前記動画像の撮影開始位置を調整するための位置合わせ状態情報を受信する手段と、
受信した前記位置合わせ状態情報を表示する表示手段と、
前記撮影対象物全体からその一部分の詳細像へとクローズアップする前記動画像を撮影する手段と、
撮影した前記動画像を前記映像配信サーバに送信する手段と、
を備える詳細像撮像端末。
【請求項９】
請求項１または２記載の映像配信サーバと通信可能に接続され、
前記撮影対象物の前記全体像を撮影する手段と、
撮影した前記全体像を前記映像配信サーバに送信する手段と、
を備える全体像撮像装置。
【請求項１０】
撮影対象物の全体像、前記撮影対象物全体からその一部分の詳細像へとクローズアップする動画像、および、前記全体像に前記動画像を関連付けするリンク情報を記憶した映像記憶手段に接続された映像配信サーバと通信可能に構成され、前記映像配信サーバから前記映像記憶手段に記憶された前記全体像および前記リンク情報を受信して、前記撮影対象物全体の画像を表示するとともに、
前記リンク情報を選択することによって、前記映像配信サーバから関連付けされた前記動画像を受信して、当該部分の詳細像をクローズアップ表示する利用者端末。
【請求項１１】
前記映像配信サーバに対して、前記動画像による詳細像を撮影すべき部分を指定可能である請求項１０記載の利用者端末。
【請求項１２】
前記全体像を表示して、表示画像の一部分を選択することによって撮影個所を指定可能である請求項１１記載の利用者端末。
【請求項１３】
撮影対象物の全体像、前記撮影対象物全体からその一部分の詳細像へとクローズアップする動画像、および、前記全体像に前記動画像を関連付けするリンク情報を記憶した映像記憶手段に接続されたコンピュータが、
利用者端末からの要求に応じて前記映像記憶手段に記憶された前記全体像および前記リンク情報を前記利用者端末に送信して、前記撮影対象物全体の画像を表示させるステップと、
前記利用者端末にて前記リンク情報が選択された場合に、関連付けされた前記動画像を前記利用者端末に送信し、当該部分の詳細像をクローズアップ表示させるステップと、
を行う映像配信方法。
【請求項１４】
前記コンピュータが、
撮影対象物の全体像と前記撮影対象物全体からその一部分の詳細像へとクローズアップする動画像とを受信するステップと、
前記全体像に前記動画像を関連付けするリンク情報を生成するステップと、
前記全体像、前記動画像および前記リンク情報を映像記憶手段に記憶させるステップと、
を行う請求項１３記載の映像配信方法。
【請求項１５】
前記コンピュータが、
前記動画像を撮影する詳細像撮像手段から前記撮影対象物の第２全体像を受信するステップと、
受信した前記全体像と前記第２全体像に基づいて、前記詳細像撮像手段による前記動画像の撮影開始位置を調整するための位置合わせ状態情報を生成するステップと、
前記位置合わせ状態情報を前記詳細像撮像手段に送信するステップと、
を行う請求項１３または１４記載の映像配信方法。
【請求項１６】
第１撮像装置で撮影した撮影対象物の第１画像をコンピュータに送信するステップと、
動画像を撮影可能な第２撮像装置で撮影した前記撮影対象物の第２画像を前記コンピュータに送信するステップと、
前記コンピュータが、前記第１画像と前記第２画像に基づいて、前記第２撮像装置による動画像の撮影開始位置を調整するための位置合わせ状態情報を生成し、前記位置合わせ状態情報を前記第２撮像装置に送信するステップと、
前記第２撮像装置の表示手段に前記位置合わせ情報を表示して動画像の撮影開始位置の位置合わせを行うステップと、
を含む映像の位置合わせ方法。
【請求項１７】
第１撮像装置で撮影した撮影対象物の第１画像をコンピュータに送信するステップと、
動画像を撮影可能な第２撮像装置で撮影した前記撮影対象物の第２画像を前記コンピュータに送信するステップと、
前記コンピュータが、前記第１画像と前記第２画像に基づいて、前記第２撮像装置による動画像の撮影開始位置を調整するための位置合わせ状態情報を生成し、前記位置合わせ状態情報を前記第２撮像装置に送信するステップと、
前記第２撮像装置の表示手段に前記位置合わせ情報を表示して動画像の撮影開始位置の位置合わせを行うステップと、
撮影開始位置を決定した後、前記第２撮像装置によって前記撮影対象物の動画像を撮影するステップと、
を含む動画像撮影方法。
【発明の詳細な説明】
【０００１】
【発明の属する技術分野】
本発明は、遠隔地に設置された利用者端末に、建築現場等の撮影対象物の映像を配信するための技術に関する。
【０００２】
【従来の技術】
家族にとっての家は、図２２に示すように、みんながそこに集まって暮らす場所であり、幸せの象徴である。また、家は暮らしの中で多くの時間を過ごす場所であり、家族の生活の基盤である。さらに、家の新築には大きな投資が必要であり、高額な財産でもある。
【０００３】
それゆえ、家を新築する際には、次のような心理が働く（図２３）。家族は、「幸せの象徴」である家を建築する際、その家での「幸せな生活」に対して大きな期待をよせる。また、家は「生活の基盤」であることから、家の設計に自分たちの願望を出来る限り盛り込むため、新居での「快適な生活」にも期待する。そして、これらの期待から、家族は家の完成が待ち遠しくてたまらなくなる。その一方、「生活の基盤」として今後長く暮らしていくことや、大きな投資をした高額な財産であることを考えると、きっちりできているか、すなわち、設計通りに建築が進んでいるかの進捗具合が非常に気掛かりになり、どうしても不安な気持ちを抱く。その結果、「待ち遠しくてたまらない」と「どうしても不安」という相反する２つの気持ちのため、家族の心理には大きな「もどかしさ」が生じることになる。
【０００４】
そこで、「もどかしさ」を解消するため、家族は建築の際に現場を訪れる（図２４）。建築現場では、建築中の家の全体像を眺めて、実際に家ができあがっている様子を実感し、「待ち遠しくてたまらない」気持ちを満足させる。一方、土台や柱などの気掛かりな詳細個所を観察して回り、自分の目で見て納得することにより、「どうしても不安」な気持ちを除去する。たとえ建築に詳しくなくても、自分の目で見て納得することにより不安を取り除くことができるのである。このように「待ち遠しくてたまらない」のと「どうしても不安」という相反する２つの気持ちが処理され、結果的に「もどかしさ」が解消される。
【０００５】
しかし、時間的・地理的制約などから建築現場を訪れることが困難だったり、頻繁に足を運ぶことができない場合もある。そこで、建築現場を撮影した画像を施工主（利用者）の利用者端末に配信することで、「もどかしさ」を解消する手法が考えられる。
【０００６】
これまで、建築現場の映像を配信するシステムとしては、特開１９９７−２６１６１９号公報で提案されたシステムなどが挙げられる。このシステムは、固定カメラで撮影した建築現場の静止画像を携帯電話などを通じて遠隔地の管理事務所に配信することができる。したがって、このシステムを転用し、建築現場の画像を定期的に利用者の自宅端末に配信するようにすれば、利用者は家に居ながらにして新居ができあがる様子や出来映えなどを簡易的に確認することが可能となると期待できる。
【０００７】
【発明が解決しようとする課題】
しかしながら、上記システムを利用して閲覧可能な映像は、建築現場全体の静止画像にしかすぎない。これでは、家族の心理である「もどかしさ」を必ずしも解消することはできないと考えられる。なぜなら、そもそも利用者が建築現場を訪れる目的は、建築現場全体を眺めて工事の進捗具合を実感するため、加えて、その場で気になった詳細個所を丹念に確認して納得するためである。したがって、全体の静止画像を見るだけでは、利用者は自分の目で見るようには納得できず、「どうしても不安」な気持ちを除去できない。その結果、「もどかしさ」が解消されずに残ったままになってしまうのである（図２５）。
【０００８】
このような問題を解決するための一手法として、上記システムにおいて固定カメラを複数設け、建築物の全体像に併せて、柱部分や土台部分などの詳細像をも配信する方法が考えられる。
【０００９】
しかしながら、柱部分や土台部分などの施工個所は特徴が少ないため、利用者は詳細像だけを見ても建築物中のどの部分を拡大して見ているのか理解しづらい。また、別の建築物の同じような施工個所の映像を配信されても見分けがつかないため、詳細像だけでは本当に見たい個所の映像なのか保証されないという問題もある。
【００１０】
さらに、利用者が詳細に確認したいと思う個所は、そのときの気分や思いつきによって変わる流動的なものであるため、詳細像を撮影する個所を予め定めて、固定カメラを設置することは困難である。しかも、固定カメラを複数設ける構成は、システムの複雑化やコストの増大につながるため、現実的とは言い難い。
【００１１】
本発明は、上記実情に鑑みてなされたものであって、遠隔地にいる利用者が、容易に、かつ、自分の目で実際に観察するのと同じように、撮影対象物の映像を閲覧することの可能なシステムを実現することを第１の目的とする。
【００１２】
また、本発明は、詳細像が撮影対象物全体のどの部分に相当するのか理解しやすいユーザフレンドリーなシステムを実現することを第２の目的とする。
【００１３】
また、本発明は、詳細像が撮影対象物の一部分を拡大したものであることを保証し得る信頼性の高いシステムを実現することを第３の目的とする。
【００１４】
【課題を解決するための手段】
上述したように、従来のシステムにあっては、利用者は自分の目で見た場合と同様の満足感を得ることができなかった。この原因について、本発明者らが鋭意検討を行った結果、次のような知見を得た。
【００１５】
人間は物を観察する場合、まず第一に全体観察を行うことによって、物全体の形態や構成を大まかに把握する。次に、物全体のなかからより詳細に確認すべき部分を見つけ、その部分に視点を移動・接近させて詳細観察を行う。このとき、詳細部分の物全体のなかでの位置や大きさなども、重要なファクターとなる。観察者は、このようなプロセスを経てはじめて物の形態や構成を理解し、満足感を得ることができるのである。
【００１６】
そこで、本発明者らは、コンピュータシステム上で、物の全体像を概略的に把握する全体観察のプロセスと、全体像の一部分に視点を移動・接近させる詳細観察のプロセスとを擬似体験させる仕組みを実現する方法について鋭意検討を重ね、以下に述べる本発明の構成を想起するに至った。
【００１７】
すなわち、本発明に係る映像配信システムは、撮影対象物の全体像と、この撮影対象物全体からその一部分の詳細像へとクローズアップする動画像とを、利用者端末に配信する。
【００１８】
ここで、全体像と動画像は、全体像に動画像を関連付けするリンク情報とともに映像記憶手段（映像ＤＢ）に格納される。
【００１９】
映像配信サーバは、利用者端末からの要求に応じて全体像およびリンク情報を利用者端末に送信し、撮影対象物全体の画像を表示させる。利用者は、まず全体画像を見ることによって、撮影対象物の全体構成を概略的に把握することができる。
【００２０】
利用者端末に撮影対象物全体の画像を表示させるときの表示態様としては、たとえば、全体像（画像）を表示するとともにリンク情報（部分の名称等の文字情報）をリスト表示する態様がある。この態様では、表示されたリンク情報をマウスポインタ等でクリックすることにより、リンク情報を選択可能とする。
【００２１】
別の表示態様としては、たとえば、全体像のみを表示し、リンク情報を表示画像の座標等に対応付けしておく態様が考えられる（リンク情報は表示されない）。この態様では、表示画像の一部分をマウスポインタ等でクリックすることにより、その座標に対応付けられたリンク情報を選択可能とする。
【００２２】
上記全体像の表示画面において、利用者によりリンク情報が選択された場合には、そのリンク情報に関連付けされた動画像を利用者端末に送信し、当該部分の詳細像をクローズアップ表示させる。この処理は、全体像の一部分に自らの視点を移動・接近させて詳細観察を行うプロセスに近似している。したがって、利用者は、自らの目で見ているような疑似体験をすることができ、実際に現場に訪れて撮影対象物を観察しているのと同様の満足感を得ることができる。
【００２３】
映像配信の対象となる全体像や動画像を撮影する際には、全体像と動画像の位置合わせを行うことが好ましい。全体像と動画像との位置合わせを行うことにより、利用者端末における全体像から動画像への表示の切り替えが画像の連続性を保ったままスムーズに行われるようになる。そうすると、利用者は違和感を感じることなく映像を閲覧することができる。また、利用者に対して、全体像と詳細像の連続性・一体性を保証することができ、システムの信頼性が向上する。
【００２４】
位置合わせを行う方法としては、大きく分けて２つの方法が考えられる。第１の方法は、全体像を撮影する第１撮像装置の撮影アングルと動画像を撮影する第２撮像装置の撮影アングルとを一致させる方法である。この方法によれば、両撮像装置で撮影される画像自体の位置を合わせることができる。
【００２５】
具体的には、たとえば、第１撮像装置で撮影した第１画像と、第２撮像装置で撮影した第２画像とをコンピュータに入力し、両画像に基づいて、いずれかの撮像装置の撮影アングル（撮影開始位置）を調整するための位置合わせ状態情報を生成する。この位置合わせ状態情報を参照しつつ、撮影開始位置を決定すれば、全体像と動画像の位置合わせを正確に行うことができる。このとき、位置合わせ状態情報が両画像を重ね合わせた画像を含んでいれば、どの方向にどの程度ずれているかを即座に理解することができ、好ましい。さらに、位置合わせ状態情報が撮像装置の表示手段に表示されると、位置調整がよりやりやすくなる。
【００２６】
第２の方法は、画像の拡大／縮小やトリミングや移動などの画像処理を行って、全体像中の撮影対象物と動画像中の撮影対象物の位置を合わせる方法である。この方法によれば、撮影段階で厳密に位置合わせを行う必要がないため、撮影作業が容易になるという利点がある。
【００２７】
本発明に係る映像配信システムは、上述した各構成・手段・方法を適宜組み合わせて構築される。かかるシステムは、撮影対象物の全体像と、撮影対象物全体からその一部分の詳細像へとクローズアップする動画像とを配信するので、遠隔地にいる利用者が、容易に、かつ、自分の目で実際に観察するのと同じように、撮影対象物の映像を閲覧することができる。
【００２８】
また、撮影対象物全体の表示画面において詳細像へのリンク情報を選択可能に構成したので、詳細像が撮影対象物全体のどの部分に相当するのかを容易に把握することができる。
【００２９】
さらに、撮影対象物全体からその一部分の詳細像へとクローズアップする動画像により詳細像の表示を行うので、詳細像が撮影対象物の一部分を拡大したものであることを保証することができ、システムの信頼性が向上する。
【００３０】
したがって、本発明は、たとえば、建築中の家の映像を随時施工主のコンピュータ（利用者端末）にて閲覧可能とする目的に、好適に用いることができる。これは、建築現場を見学できない施工主の「もどかしさ」に配慮したものである。
【００３１】
また、本発明は、上記目的以外にも、たとえば、
・建築物の建築過程を施工主に閲覧させるとともに、映像として記録することにより、建築物の製造者責任を証明する目的、
・記録された建築過程の映像を用いて、建築物（中古物件）の売買時に当該物件の品質（商品価値）を説明する目的、
などにも利用可能である。
【００３２】
一般に、建築物の完成後は、その品質を見分けることが非常に困難である。上記用途はこの点に着目したものであって、施工開始から完成までの建築過程の映像を詳細に記録することにより、建築物の品質を保証する証拠を残しておくことに配慮したものである。
【００３３】
【発明の実施の形態】
以下に図面を参照して、本発明の好適な一実施形態を例示的に詳しく説明する。ここでは、本発明の一実施形態として、建築中の家（建築物）を撮影対象物として選び、その家の映像を施工主である利用者に配信するためのシステムを例示する。
【００３４】
ただし、本発明の適用範囲はこれに限られることはなく、他の様々な特定分野への適用が可能である。たとえば、撮影対象物として景勝地の風景や名所などを選び、その映像を利用者端末に配信して旅行の擬似体験をさせるシステムや、撮影対象物として工場の生産ラインなどを選び、その映像を製造責任者の端末に配信して生産管理に役立てるためのシステムなど、本発明の適用範囲は広い。
【００３５】
上述したように、建築物の全体と詳細個所の静止画像を配信するだけでは、利用者は自分の目で見たのと同様の満足感を得ることができない。このような問題を解決すべく、本実施形態の映像配信システムでは、どこを見ているかわかりやすい映像を提供すること、および、見たい場所が映されていることを保証すること、の２点を実現することを目的とする。これによって、利用者は、自分の目で見るのと同じように納得することができ、その結果、もどかしさを解消することが可能になると考えられる（図１）。
【００３６】
上記目的を達成するために、本システムは、建築物の全体像を概略的に把握する全体観察のプロセスと、全体像の一部分に視点を移動・接近させる詳細観察のプロセスと、を利用者の利用者端末上で擬似体験させる仕組みを提供する。
【００３７】
たとえば、本システムは、図２に示すように、まず利用者端末の画面に建築物の全体像を表示させる。これが全体観察のプロセスに相当する。この全体像には、全体像から詳細像へのリンク情報であるリンクＡ〜Ｃが対応付けされている。全体像上に可視的または不可視的に表示されるこれらのリンクＡ〜Ｃを利用者が選択すると、本システムは、リンク情報により関連付けられた動画像を利用者端末に配信する。この動画像は、全体像から詳細像へとクローズアップする映像である。このとき利用者端末の表示画像は全体像から動画像へと切り替わり、利用者は、全体像から連続性を保ったまま視点が滑らかに移動し最終的に望みの詳細個所を拡大表示する動画像を閲覧することができる。これが詳細観察のプロセスに相当する。
【００３８】
図３に、利用者端末における表示画面の一例を示す。全体像として建築物の柱組みが表示されており、全体像中の４個所に詳細像へのリンクが用意されている。利用者が全体像の右下の土台部分を選択すると、その土台部分をクローズアップ表示する動画像が配信され、土台部分が拡大表示されることとなる。
【００３９】
以上の仕組みによれば、利用者は、遠隔地において建築物の全体像および詳細像を容易に閲覧することができる。したがって、全体像を閲覧することにより、建築工事がどの程度進んでいるかを実感することができ、さらに詳細像を閲覧することにより、工事の出来映えを確認することができる。
【００４０】
また、詳細像を閲覧する際に全体像から該当個所を選択することができるので、詳細像が建築物のどの部分に相当するのかを容易に把握することができる。さらに、動画像を用いて全体像から詳細像へと連続性を保ったまま拡大表示がなされるので、見たい場所が確実に映されていること、すなわち、拡大表示された詳細像が間違い無く全体像の一部分を拡大したものであることを保証することができる。
【００４１】
では、上記のような仕組みを実現する映像配信システムの一構成例について、図４のシステム構成図を用いて説明する。
【００４２】
本実施形態の映像配信システムは、概略、全体像撮像装置１と、詳細像撮像端末２と、映像ＤＢ（データベース）３と、映像配信サーバ４とを備えて構成される。映像配信システムは、コンピュータネットワークを通じて利用者端末５と通信可能に構成されている。
【００４３】
全体像撮像装置１は、建築現場に設置され、建築中の家等の撮影対象物の全体像を撮影する全体像撮像手段である。全体像撮像装置１は、有線または無線で映像配信サーバ４に接続され、撮影した全体像を映像配信サーバ４に送信する。この装置は、市販のビデオカメラやＷｅｂカメラなどの外部出力を持つ撮像装置であれば、その種類は問わない。ここで撮影する全体像は、静止画像でも動画像でもよい。また、必ずしも建築物の全部を含んでいる必要はなく、建築物の全体構成を観察可能な画像であればよい。
【００４４】
詳細像撮像端末２は、建築中の家の全体からその一部分（柱部分や土台部分など）の詳細像へとクローズアップする動画像を撮影する詳細像撮像手段である。詳細像撮像端末２は、持ち運び可能に構成されており、建築現場にいる撮影者が詳細像を撮影するために操作する端末である。この端末は、有線または無線で映像配信サーバ４に接続され、必要に応じて撮影した映像を映像配信サーバ４に送信する。また、詳細像撮像端末２は、映像配信サーバ４との間で、位置合わせ状態情報や撮影指定個所要求などを送受信可能に構成されている。
【００４５】
全体像撮像装置１と詳細像撮像端末２とは、本実施形態のごとく別個の撮像装置により構成することもできるし、同一の撮像装置（例えば、静止画像と動画像を撮影可能なデジタルビデオカメラ等）により構成することも可能である。
【００４６】
映像ＤＢ３は、全体像撮像装置１や詳細像撮像端末２で撮影された映像などを記憶する映像記憶手段である。映像ＤＢ３は、映像配信サーバ４に接続されたデータベース装置または大容量の記憶装置などから構成される。
【００４７】
映像配信サーバ４は、全体像撮像装置１または詳細像撮像端末２で撮影された映像を管理し、利用者端末５からの要求に応じて映像ＤＢ３に記憶された映像を配信する映像配信手段である。映像配信サーバ４は、たとえば、ワークステーションやパーソナルコンピュータなどを用いて構成することができる。なお、映像配信サーバ４と映像ＤＢ３は、必ずしも建築現場に設置する必要はなく、全体像撮像装置１や詳細像撮像端末２と映像や情報を送受信可能であれば遠隔地に設置しても構わない。
【００４８】
利用者端末５は、ネットワーク接続可能であり映像を表示する映像表示部を具備する電子機器であれば、その種類は問わない。たとえば、パーソナルコンピュータ，ＰＤＡ，携帯電話などを好適に用いることができる。
【００４９】
上記構成のシステムが備える機能およびその動作について、図５の機能ブロック図を用いて説明する。
【００５０】
図５に示す各機能は、全体像撮像装置１，詳細像撮像端末２，映像ＤＢ３，映像配信サーバ４または利用者端末５のいずれかの装置により実現されるものである。各機能をどの装置により実現するかは、システム構成等に応じて適宜変更することが可能である。
【００５１】
全体像撮像装置１で撮影された建築物の全体像は、全体像撮像機能によってシステムに取得される（１）。
【００５２】
一方、詳細像撮像端末２を用いて動画像を撮影する際には、最初に撮影開始位置の位置合わせを行う必要がある。全体像と動画像の映像の連続性を確保するためである。このため、本システムは、全体像撮像装置１で撮影した全体像と、詳細像撮像端末２で撮影した動画像との位置合わせを行うための位置合わせ機能を備える。
【００５３】
まず、撮影者は、詳細像撮像端末２を用いて建築物の全体像を撮影し、その映像を位置合わせ要求とともに映像配信サーバ４へ送信する（２）。
【００５４】
映像配信サーバ４は、詳細像撮像端末２から建築物の全体像（全体像撮像装置１で撮影した全体像と区別するために、「第２全体像」と称す。）と位置合わせ要求を受信すると、全体像撮像装置１から受信した全体像と第２全体像を比較して位置合わせ状態情報を生成する。
【００５５】
位置合わせ状態情報は、詳細像撮像端末２による動画像の撮影開始位置を調整するための情報である。映像配信サーバ４は、この位置合わせ状態情報を詳細像撮像端末２に送信する（３）。
【００５６】
位置合わせ状態情報は、詳細像撮像端末２の表示手段に表示される。撮影者は、表示された位置合わせ状態情報を参照して、詳細像撮像端末２の撮影開始位置を調整する。詳細像撮像端末２の位置を調整するたびに、位置合わせ要求を行い、全体像撮像装置１の映像と詳細像撮像端末２の映像がほぼ一致するまで、上記処理を繰り返す。
【００５７】
調整が完了したら、撮影者は動画像の撮影を開始する。撮影者は、詳細像撮像端末２を撮影個所に向かって移動させ、建築物全体からその一部分への詳細像へとクローズアップする動画像を撮影する（４）。なお、詳細像撮像端末２のズーム機能を用いて、同様の動画像を撮影してもよい。撮影が終了すると、詳細像撮像端末２は、動画像を映像配信サーバ４へ送信する（５）。
【００５８】
映像配信サーバ４は、全体像撮像装置１で撮影した全体像に、詳細像撮像端末２で撮影した動画像を関連付けするリンク情報を生成する（６）。リンク情報は、全体像と詳細像との接続を表すインデックス情報である。リンク情報は、動画像のファイル名、動画像によりクローズアップされる一部分の全体像中における座標情報、当該部分の名称などの情報を含んでいる。リンク情報は、映像配信サーバ４のリンク生成機能が全体像と動画像に基づいて生成する。あるいは、撮影者が詳細像を撮影する際に入力した情報に基づいてリンク情報を生成する場合もある。
【００５９】
以上のようにして得た全体像、動画像およびリンク情報は、映像配信サーバ４によって映像ＤＢ３に蓄積される（７）。
【００６０】
映像配信サーバ４は、利用者端末５からの要求に応じて映像ＤＢ３に記憶された建築物の映像を利用者端末５に配信する映像配信機能を有する。
【００６１】
利用者が、利用者要求入力機能を用いて、建築物の全体像を閲覧したい旨の要求を入力すると（８）、その要求が映像配信サーバ４に送信される。映像配信サーバ４の利用者要求処理機能は、利用者端末５からの要求を受信し、映像配信機能に要求を通知する。映像配信機能は、映像ＤＢ３から利用者の要求に合致する全体像を取得し、その全体像をリンク情報とともに利用者端末５に送信する（９）。全体像およびリンク情報は、利用者端末５の映像提示機能により受信され、利用者端末５の映像表示部に建築物全体の画像が表示される（１０）。これにより、利用者は建築物の全体構成を概略的に把握することができ、工事の進捗具合を把握することができる。
【００６２】
利用者端末５に建築物全体の画像を表示させるときの表示態様としては、全体像（画像）を表示するとともにリンク情報（詳細部分の名称等の文字情報）をリスト表示する態様や、全体像のみを表示し、リンク情報を表示画像の座標等に対応付けしておく態様（リンク情報は不可視）などがある。
【００６３】
次に、利用者が、利用者要求入力機能を用いて、リンク情報を選択すると（８）、その選択要求が映像配信サーバ４に送信される。選択要求は、利用者要求処理機能を通じて映像配信機能に通知される。映像配信機能は、選択されたリンク情報により関連付けされた動画像を映像ＤＢ３から取得し、その動画像を利用者端末５に送信する（９）。利用者端末５の映像提示機能は、動画像を受信すると、全体像から動画像に表示を切り替える（１０）。そして、映像表示部には、利用者により選択された部分の詳細像がクローズアップ表示されることとなる。
【００６４】
これはあたかも全体像の一部分に自らの視点を移動・接近させて詳細観察を行うプロセスに近似している。したがって、利用者は、建築物の選択部分に接近して、自らの目で見ているような擬似体験をすることができ、実際に建築現場に訪れて建築物を観察しているのと同様の満足感を得ることができる。
【００６５】
また、映像配信サーバ４は、利用者端末５にて動画像による詳細像を撮影すべき部分を指定可能とする撮影個所指定手段を有する。本システムでは、詳細像の閲覧要求が多いと予想される個所について、予め動画像を撮影し、映像ＤＢ３に蓄積しているが、利用者が閲覧を希望する個所がその中に必ずしも含まれているとは限らないからである。
【００６６】
この撮影個所指定手段は、利用者端末５に全体像を表示して、表示画像の一部分を利用者に選択させることにより撮影個所の指定を行わしめるものであり、上記利用者要求処理機能の一機能として実現される。
【００６７】
利用者端末５に全体像が表示された状態において、利用者は、利用者要求入力機能を用いて撮影指定個所を入力することができる（１１）。映像配信サーバ４の利用者要求処理機能は、要求を受けた撮影指定個所の動画像が映像ＤＢ３に蓄積されているか否かを判断し、動画像が無い場合には撮影指定個所を詳細像撮像端末２に通知する（１２）。
【００６８】
建築現場にいる撮影者は、撮影指定個所が通知されたことを確認し、詳細像撮像端末２を操作して、上記と同様の手順で当該個所の撮影を行う。そして、撮影指定個所の動画像が映像配信サーバ４に送信されると、ただちに映像配信機能によって利用者端末５に送信される。このようにして、利用者が個別に要望した撮影指定個所の詳細像を配信することができるので、利用者のニーズに柔軟に対応可能なユーザフレンドリーなシステムを実現することができる。
【００６９】
【実施例】
以下に図面を参照して、本発明をより具体的に実施するための一実施例について詳しく説明する。
【００７０】
（映像配信システムの構成）
図６は、本実施例の映像配信システムのシステム構成図である。
【００７１】
ここでは、建築現場にビデオカメラ１０を設置し、全体像撮像装置として利用する。このビデオカメラ１０を、映像配信サーバを構成するサーバコンピュータ４０に接続する。接続には、有線／無線ＬＡＮ，ＵＳＢ，ＩＥＥＥ１３９４，コンポジット線などを用いる。また、詳細像撮像端末２０は、無線ＬＡＮやＢｌｕｅｔｏｏｔｈなどでサーバコンピュータ４０に接続される。
【００７２】
サーバコンピュータ４０は、ワークステーションやパーソナルコンピュータなどの一般的なコンピュータを用いることができる。サーバコンピュータ４０は映像配信プログラムを読み込むことによって映像配信サーバとして機能する。また、サーバコンピュータ４０が具備するハードディスク等の記憶媒体上には映像ＤＢが構築されている。このサーバコンピュータ４０は、インターネットに接続される。
【００７３】
遠隔地の利用者は、インターネットに接続されたコンピュータ５０を利用者端末として利用する。
【００７４】
（詳細像撮像端末の構成）
図７は、本実施例の詳細像撮像端末の外観構成を示す斜視図であり、図８は、詳細像撮像端末のハードウエア構成を示すブロック図である。
【００７５】
図８に示すように、詳細像撮像端末２０は、ＭＭ入出力部２１，撮像部２２，演算部２３，メモリ部２４，通信部２５，外部記憶装置管理部２６，記憶装置２７を有して構成される。詳細像撮像端末２０は、建築現場において撮影者が操作・管理するものであって、建築物の動画像を撮影する装置である。
【００７６】
ＭＭ（マンマシン）入出力部２１は、詳細像撮像端末２０が撮影者と種々の情報のやり取りをするための入出力機能を持つ部位であり、入力装置と出力装置を含む。
【００７７】
本実施例では、図７に示すように、入力装置として、操作部２１ａを有する。操作部２１ａは、プッシュボタンなどで詳細像撮像端末２０を操作する機能を有する部位である。スイッチのＯＮ／ＯＦＦ，位置合わせの指示，撮影の開始／終了，撮影個所名や座標の入力等の機能を提供する。入力装置としては、他にもタッチパネル，ディジタイザ，キーボード，テンキー，マウス，バーコードリーダ等を用いることができ、撮影者からの入力を情報として詳細像撮像端末２０に伝達可能なものなら、その種類は問わない。
【００７８】
また、詳細像撮像端末２０は、出力装置として、表示部２１ｂを有する。なお、表示部２１ｂはタッチパネルで構成されているので、入力装置としての機能も有している。出力装置としては、他にもディスプレイ，プリンタなどを用いることができ、詳細像撮像端末２０が撮影者に対して情報を伝達できるものなら、その種類は問わない。
【００７９】
撮像部２２は、外部映像を取得し、プログラムが処理可能な動画フォーマットに変換する機能を持つ部位である。たとえば、カメラ等が該当する。
【００８０】
演算部２３は、詳細像撮像端末２０の各機能を、プログラムを実行することによって駆動・処理するための演算機能を持つ部位である。一般にＣＰＵ（中央演算処理装置）で構成される。
【００８１】
メモリ部２４は、演算部２３がプログラムを実行するための実行エリアの部位である。
【００８２】
通信部２５は、たとえば有線ＬＡＮや無線ＬＡＮなどのネットワークを介した外部機器との通信を制御する機能を持つ部位である。
【００８３】
外部記憶装置管理部２６は、各種記憶装置２７との間でデータの入出力を制御する機能を有する部位である。記憶装置２７としては、たとえばハードディスク，フレキシブルディスク，ＣＤ−ＲＯＭ，ＣＤ−Ｒ，磁気カード，ＩＣカードなどがある。
【００８４】
記憶装置２７には、処理プログラムが格納されている。処理プログラムは、詳細像撮像端末２０の利用目的を達成するために必要なプログラムのことである。ＯＳ（オペレーティングシステム）もこれに含まれる。
【００８５】
（映像配信サーバの構成）
図９は、映像配信サーバおよび映像ＤＢを構成するサーバコンピュータのハードウエア構成を示すブロック図である。
【００８６】
同図に示すように、サーバコンピュータ４０は、ＭＭ入出力部４１，映像入力部４２，演算部４３，メモリ部４４，通信部４５，外部記憶装置管理部４６，記憶装置４７を有して構成される。
【００８７】
記憶装置４７上には、映像ＤＢ３０が構築されている。映像ＤＢ３０が構築される記憶装置４７としては、ＲＡＩＤ機能などを備えた高信頼性かつ大容量のハードディスク、あるいは、チェンジャー機能を備えたＣＤ−ＲまたはＤＶＤ−ＲＡＭなどの装置が好適である。装置の故障やデータの破損に備えて、自動バックアップ機能を有することも好ましい。
【００８８】
記憶装置４７には、本システムの映像配信方法の利用目的を達成するために必要な映像配信プログラムが格納されている。
【００８９】
映像入力部４２は、ビデオカメラ（全体像撮像装置）１０からの入力を、プログラムが処理可能なフォーマットに変換する機能を持つ部位である。すなわち、ビデオカメラ１０からの入力がアナログ信号の場合には、それをサンプリングしてデジタル画像に変換する。また、データ容量を削減し、ネットワークを通じた配信負荷を低減するために、ＪＰＥＧなどの画像圧縮変換も行う。
【００９０】
その他の構成部分は、詳細像撮像端末２０の同名の部分とほぼ同じ構成であるため、説明を省略する。
【００９１】
（利用者端末の構成）
図１０は、利用者端末を構成するコンピュータのハードウエア構成を示すブロック図である。
【００９２】
同図に示すように、コンピュータ５０は、ＭＭ入出力部５１，演算部５２，メモリ部５３，通信部５４，外部記憶装置管理部５５，記憶装置５６を有して構成される。
【００９３】
記憶装置５６には、利用者端末の利用目的を達成するために必要な処理プログラムの他、たとえばワープロや表計算などのアプリケーションソフトやそれに付随するデータなども格納されている。
【００９４】
その他の構成部分は、詳細像撮像端末２０の同名の部分とほぼ同じ構成であるため、説明を省略する。
【００９５】
次に、上記構成の映像配信システムにおける、映像の取得処理、映像の配信処理、および、撮影個所の指定処理について詳しく説明する。
【００９６】
（映像の取得処理）
図１１は、詳細像撮像端末と映像配信サーバの映像の取得処理に係る機能を示す機能ブロック図である。また、図１２は、詳細像撮像端末の映像の取得処理に係るフローチャート、図１３は、映像配信サーバの映像の取得処理に係るフローチャートである。
【００９７】
図１１に示した各機能および図１２，１３に示した各処理は、記憶装置に格納されたプログラムが、メモリ部に読み込まれ、演算部により実行されることで実現されるものである。
【００９８】
建築現場に設置された全体像撮像装置であるビデオカメラ１０は、常時、建築物の全体像を撮影している。映像配信サーバは、数分に１回などの予め定められた時間毎に、ビデオカメラ１０から全体像を受信し（ステップＳ４０１）、ＪＰＥＧなどのデジタル画像に変換して映像ＤＢ３０に格納する（ステップＳ４０２）。映像配信サーバは、全体像を撮影日時などの情報とともに映像ＤＢ３０に管理させる。
【００９９】
次に、映像配信サーバは、詳細像撮像端末から位置合わせ指示を受信しているかどうかを調べる（ステップＳ４０３）。位置合わせ指示の要求がない場合には、再びステップＳ４０１に戻り、全体像の取得処理を繰り返す。このように全体像は随時新しいものに更新されるので、映像配信を行う際には原則として最新の映像を配信する。
【０１００】
一方、詳細像撮像端末が起動すると、詳細像撮像機能が作動し、撮像部より映像を取得する（ステップＳ２０１）。取得された映像は、ＭＭ入出力部（表示部）に表示される（ステップＳ２０２）。
【０１０１】
次に、詳細像撮像端末は、撮影者からの位置合わせ指示があるかどうかを調べる（ステップＳ２０３）。位置合わせ指示がなかった場合には、再びステップＳ２０１に戻り、映像の取得処理を繰り返す。位置合わせ指示がある場合には、位置合わせ指示を映像配信サーバに送信する（ステップＳ２０４）。位置合わせ指示は、撮影者がＭＭ入出力部（操作部）を操作することにより入力可能である。
【０１０２】
続いて、詳細像撮像端末は、撮像部より映像を取得し（ステップＳ２０５）、その映像を映像配信サーバに送信する（ステップＳ２０６）。このときの映像は、映像配信サーバでの位置合わせ処理に用いられるものであるため、位置合わせ処理を正確かつ迅速に行うために建築物の全体が含まれていることが好ましい。
【０１０３】
映像配信サーバは、詳細像撮像端末から位置合わせ指示の要求を受信すると、位置合わせ処理を開始する（ステップＳ４０３）。まず、映像配信サーバは、ビデオカメラ１０から全体像を受信し（ステップＳ４０４）、映像ＤＢ３０に格納する（ステップＳ４０５）。次に、詳細像撮像端末から送信される映像（第２全体像）を受信する（ステップＳ４０６）。
【０１０４】
そして、映像配信サーバは、全体像と第２全体像とを比較して、詳細像撮像端末の撮影アングルをどの方向に移動させるべきか、拡大／縮小すべきかなどの位置合わせ状態を算出する（ステップＳ４０７）。また、映像配信サーバは、全体像と第２全体像とを重ね合わせ、さらに、この画像に詳細像撮像端末の撮影アングルをどのように調整すべきかのガイドを合成して、位置合わせ状態情報を生成する。
【０１０５】
映像配信サーバは、生成した位置合わせ状態情報を詳細像撮像端末に送信する（ステップＳ４０８）。映像配信サーバは、詳細像撮像端末から撮影開始指示を受信するまで、ステップＳ４０４〜ステップＳ４０８の処理を繰り返す。
【０１０６】
詳細像撮像端末は、映像配信サーバから位置合わせ状態情報を受信すると（ステップＳ２０７）、その情報をＭＭ入出力部（表示部）に表示する（ステップＳ２０８）。表示画面の一例を図１４（ｂ）に示す。ここでは、詳細像撮像端末で撮影した第２全体像が、全体像撮像装置で撮影した全体像よりも左下にずれているため、「右上に合わせてください」という旨のガイドが表示されている。撮影者は、この調整ガイドの指示に従って詳細像撮像端末を移動させて、位置合わせを行う。
【０１０７】
撮影者からの撮影開始指示が入力されるまで、詳細像撮像端末は、ステップＳ２０５〜ステップＳ２０８の処理を繰り返す（ステップＳ２０９）。したがって、撮影者が詳細像撮像端末を移動させるのに応じて、表示部に表示される位置合わせ状態情報も更新され、現在の撮影位置が適当かどうかを確認することができる。全体像と第２全体像の位置が一致すると、表示部には「位置合わせ完了　撮影を開始してください」という旨のガイドが表示される。このようにして、位置合わせ状態情報を参照することにより、詳細像撮像端末の撮影開始位置を簡単かつ正確に調整することができる。
【０１０８】
次に、撮影者は、ＭＭ入出力部（操作部）を操作し、撮影開始指示を入力する。このとき、操作部を操作して、今から詳細像の撮影を行う撮影個所の名称や全体像中の座標の入力も併せて行う。詳細像撮像端末は、撮影開始指示を受け取ると（ステップＳ２０９）、その撮影開始指示を映像配信サーバに送信する（ステップＳ２１０）。
【０１０９】
そして、詳細像撮像端末は、詳細像の撮影を開始し、撮影した映像を映像配信サーバに送信する（ステップＳ２１１〜ステップＳ２１３）。撮影者は、図１４（ｃ）に示すように、詳細像撮像端末を撮影個所に向かって移動させつつ、クローズアップ映像を撮影する。撮影個所の詳細像を撮り終えたら、操作部を操作して、撮影終了指示を入力する。詳細像撮像端末は、撮影終了指示を受け取ると（ステップＳ２１４）、その撮影終了指示を映像配信サーバに送信して、処理を終了する（ステップＳ２１５）。
【０１１０】
一方、映像配信サーバは、詳細像撮像端末から撮影開始指示を受信すると、その情報に含まれる撮影個所の名称や座標などからリンク情報を生成して映像ＤＢに記録する（ステップＳ４１０）。次に、映像配信サーバは、全体像を撮影して映像ＤＢに記録した後（ステップＳ４１１，ステップＳ４１２）、詳細像撮像端末から詳細像を受信して映像ＤＢに記録していく（ステップＳ４１３，ステップＳ４１４）。そして、詳細像撮像端末から撮影終了指示を受信すると、詳細像の取得処理を終了し、全体像を定期的に取得する通常ルーチンに戻る（ステップＳ４１５）。
【０１１１】
以上のように、全体像撮像装置、詳細像撮像端末および映像配信サーバのそれぞれが協働して、建築物の全体像、建築物全体からその一部分の詳細像へとクローズアップする動画像、および、全体像に動画像を関連付けするリンク情報の取得・生成が行われる。
【０１１２】
（映像の配信処理）
図１５は、映像配信サーバと利用者端末の映像の配信処理に係る機能を示す機能ブロック図である。また、図１６は、映像配信サーバの映像の配信処理に係るフローチャート、図１７は、利用者端末の映像の配信処理に係るフローチャートである。
【０１１３】
図１５に示した各機能および図１６，１７に示した各処理は、記憶装置に格納されたプログラムが、メモリ部に読み込まれ、演算部により実行されることで実現されるものである。
【０１１４】
映像配信サーバは、ＷＷＷサーバ機能を備えており、常時、利用者端末からの映像配信要求を待っている状態にある（ステップＳ４２０，ステップＳ４２１）。
【０１１５】
利用者が、利用者端末にて全体像を閲覧する旨の入力を行うと、利用者端末は、ＭＭ入出力部からその要求を受けて、映像配信サーバに全体像の送信を要求する（ステップＳ５０１）。映像配信サーバは、利用者端末からの全体像送信要求を受信すると（ステップＳ４２２）、その要求に基づいて全体像を映像ＤＢから抽出し、全体像を利用者端末に送信する（ステップＳ４２３）。利用者端末は、映像配信サーバから全体像を受信して、全体像をＭＭ入出力部に表示する（ステップＳ５０２）。
【０１１６】
続いて、利用者端末は、映像配信サーバにリンク情報の送信を要求する（ステップＳ５０３）。映像配信サーバは、利用者端末からのリンク情報送信要求を受信すると（ステップＳ４２４）、その要求に基づいてリンク情報を映像ＤＢから抽出し、リンク情報を利用者端末に送信する（ステップＳ４２５）。利用者端末は、映像配信サーバからリンク情報を受信して、リンク情報をＭＭ入出力部に表示する（ステップＳ５０４）。
【０１１７】
このときの利用者端末の表示画面の一例を図１８（ａ）に示す。この例では、建築物の全体像の画像に併せて、リンク情報がリスト表示されている。利用者は、この表示画像を見ることによって、建築物の全体観察を行うことができる。
【０１１８】
リンク情報は、詳細像を表示する動画像が用意されている撮影個所（詳細ポイント）を示すものである。利用者は、この詳細ポイントのリストを見ることにより、閲覧可能な詳細像を知ることができる。リンク情報は、マウスポインタ等でクリックすることにより選択可能な態様で表示される。なお、この例では、リンク情報を明示的に表示しているが、全体像の座標にリンク情報を対応付けることによって、リンク情報を不可視情報とすることもできる。
【０１１９】
この全体表示画面において、利用者がリンク情報のいずれかを選択すると、利用者端末は、ＭＭ入出力部からその選択要求を受け、映像配信サーバにリンクが選択された旨の情報を送信する（ステップＳ５０５，ステップＳ５０６）。映像配信サーバは、利用者端末からリンク選択情報を受信すると（ステップＳ４２６）、選択されたリンク情報により関連付けられた詳細像（動画像）を映像ＤＢから抽出し（ステップＳ４２７）、その詳細像を利用者端末に送信する（ステップＳ４２８）。利用者端末は、映像配信サーバから詳細像を受信して、表示中の全体像に切り替えて詳細像の動画を再生表示する（ステップＳ５０７）。
【０１２０】
このときの利用者端末の表示画面の一例を図１８（ｂ）に示す。この例では、詳細ポイントのうち土台（１）のリンク情報が選択され、その土台部分が拡大表示されたところを示している。利用者は、全体像から土台部分の詳細像へとクローズアップ表示されていく動画像を見ることによって、建築物の詳細観察を行うことができる。なお、表示画面中の「リプレイ」を選択すると、動画像がリプレイされ、「全体像に戻る」を選択すると、再び図１８（ａ）の画面が表示される。利用者は、全体観察と詳細観察を繰り返し行うことによって、自分の目で実際に観察しているのと同様の擬似体験をすることができる。
【０１２１】
（撮影個所の指定処理）
図１９は、映像配信サーバと詳細像撮像端末と利用者端末の撮影個所の指定処理に係る機能を示す機能ブロック図である。また、図２０は、映像配信サーバと詳細像撮像端末と利用者端末の撮影個所の指定処理に係るフローチャートである。
【０１２２】
図１９に示した各機能および図２０に示した各処理は、記憶装置に格納されたプログラムが、メモリ部に読み込まれ、演算部により実行されることで実現されるものである。
【０１２３】
撮影個所の指定処理を行う際には、まず利用者端末に図２１に示す撮影個所指定画面が表示される。この画面では、建築物の全体像が表示され、「撮影したい個所を指定してください」という旨のメッセージが表示される。利用者は、マウスポインタ等で表示画像の一部分を選択することで、撮影個所を指定することが可能である。
【０１２４】
利用者端末は、利用者からの撮影個所の指定をＭＭ入出力部から取得すると（ステップＳ５２０）、その撮影個所指定情報を映像配信サーバに送信する（ステップＳ５２１）。映像配信サーバは、利用者端末から撮影個所指定情報を受信すると（ステップＳ４４０）、詳細像撮像端末に詳細像の撮影要望がある旨を送信する（ステップＳ４４１）。詳細像撮像端末は、映像配信サーバから撮影要求を受信すると（ステップＳ２２０）、撮影個所指示画面をＭＭ入出力部（表示部）に表示する。
【０１２５】
このときの詳細像撮像端末の表示画面の一例を図１４（ａ）に示す。この例では、建築物の全体像に重ねて、撮影要望がある個所にマークを付した画面が表示されている。撮影者は、この画面を見ることによって撮影要望がある個所を正確に把握することが可能である。
【０１２６】
撮影要望がある個所の詳細像を撮影する際には、撮影者はまず表示画面中のマークを選択する。マーク選択がなされると、詳細像撮像端末は、全体像の中での座標を自動的に算出し、映像配信サーバに対して位置合わせ指示を送信する。それ以降の処理は、上述した「映像の取得処理」と同様にして行う。
【０１２７】
撮影された詳細像は、すみやかに利用者端末に送信される。このようにして、利用者が個別に要望した撮影指定個所の詳細像を配信することができるので、利用者のニーズに柔軟に対応可能なユーザフレンドリーなシステムを実現することができる。
【０１２８】
【発明の効果】
以上説明したように、本発明は、撮影対象物の全体像と、撮影対象物全体からその一部分の詳細像へとクローズアップする動画像とを配信するので、遠隔地にいる利用者が、容易に、かつ、自分の目で実際に観察するのと同じように、撮影対象物の映像を閲覧することができる。
【０１２９】
また、撮影対象物全体の表示画面において詳細像へのリンク情報を選択可能に構成したので、詳細像が撮影対象物全体のどの部分に相当するのかを容易に把握することができる。
【０１３０】
さらに、撮影対象物全体からその一部分の詳細像へとクローズアップする動画像により詳細像の表示を行うので、詳細像が撮影対象物の一部分を拡大したものであることを保証することができ、システムの信頼性が向上する。
【０１３１】
したがって、本発明は、たとえば、建築中の家の映像を随時施工主のコンピュータ（利用者端末）にて閲覧可能とする目的に、好適に用いることができる。これにより、建築現場を見学できない施工主の「もどかしさ」に配慮することができる。
【０１３２】
また、本発明は、上記目的以外にも、たとえば、
・建築物の建築過程を施工主に閲覧させるとともに、映像として記録することにより、建築物の製造者責任を証明する目的、
・記録された建築過程の映像を用いて、建築物（中古物件）の売買時に当該物件の品質（商品価値）を説明する目的、
などにも利用可能である。
【０１３３】
一般に、建築物の完成後は、その品質を見分けることが非常に困難である。上記用途はこの点に着目したものであって、施工開始から完成までの建築過程の映像を詳細に記録することにより、建築物の品質を保証する証拠を残しておくことに配慮することができる。
【図面の簡単な説明】
【図１】映像配信システムのコンセプトを説明する図である。
【図２】映像配信システムによって配信される映像を説明する図である。
【図３】利用者端末における表示画面の一例を示す図である。
【図４】映像配信システムのシステム構成図である。
【図５】映像配信システムの機能ブロック図である。
【図６】映像配信システムの一実施例に係る構成を示すシステム構成図である。
【図７】詳細像撮像端末の外観構成を示す斜視図である。
【図８】詳細像撮像端末のハードウエア構成を示すブロック図である。
【図９】映像配信サーバを構成するサーバコンピュータのハードウエア構成を示すブロック図である。
【図１０】利用者端末を構成するコンピュータのハードウエア構成を示すブロック図である。
【図１１】詳細像撮像端末と映像配信サーバの映像の取得処理に係る機能を示す機能ブロック図である。
【図１２】詳細像撮像端末の映像の取得処理に係るフローチャートである。
【図１３】映像配信サーバの映像の取得処理に係るフローチャートである。
【図１４】詳細像撮像端末における表示画面の一例を示す図である。
【図１５】映像配信サーバと利用者端末の映像の配信処理に係る機能を示す機能ブロック図である。
【図１６】映像配信サーバの映像の配信処理に係るフローチャートである。
【図１７】利用者端末の映像の配信処理に係るフローチャートである。
【図１８】利用者端末の映像の配信処理に係る表示画面の一例を示す図である。
【図１９】映像配信サーバと詳細像撮像端末と利用者端末の撮影個所の指定処理に係る機能を示す機能ブロック図である。
【図２０】映像配信サーバと詳細像撮像端末と利用者端末の撮影個所の指定処理に係るフローチャートである。
【図２１】利用者端末の撮影個所の指定処理に係る表示画面の一例を示す図である。
【図２２】家族にとっての家の位置付けを説明する図である。
【図２３】家を新築する際の家族の心理状態を説明する図である。
【図２４】家族が建築現場を訪れる目的を説明する図である。
【図２５】従来の映像配信システムの問題点を説明する図である。
【符号の説明】
１　全体像撮像装置
２　詳細像撮像端末
３　映像ＤＢ
４　映像配信サーバ
５　利用者端末
１０　ビデオカメラ
２０　詳細像撮像端末
２１　ＭＭ入出力部
２１ａ　操作部
２１ｂ　表示部
２２　撮像部
２３　演算部
２４　メモリ部
２５　通信部
２６　外部記憶装置管理部
２７　記憶装置
３０　映像ＤＢ
４０　サーバコンピュータ
４１　ＭＭ入出力部
４２　映像入力部
４３　演算部
４４　メモリ部
４５　通信部
４６　外部記憶装置管理部
４７　記憶装置
５０　コンピュータ
５１　ＭＭ入出力部
５２　演算部
５３　メモリ部
５４　通信部
５５　外部記憶装置管理部
５６　記憶装置
【図１】
2004070872.tif 000003
【図２】
2004070872.tif 000004
【図３】
2004070872.tif 000005
【図４】
2004070872.tif 000006
【図５】
2004070872.tif 000007
【図６】
2004070872.tif 000008
【図７】
2004070872.tif 000009
【図８】
2004070872.tif 000010
【図９】
2004070872.tif 000011
【図１０】
2004070872.tif 000012
【図１１】
2004070872.tif 000013
【図１２】
2004070872.tif 000014
【図１３】
2004070872.tif 000015
【図１４】
2004070872.tif 000016
【図１５】
2004070872.tif 000017
【図１６】
2004070872.tif 000018
【図１７】
2004070872.tif 000019
【図１８】
2004070872.tif 000020
【図１９】
2004070872.tif 000021
【図２０】
2004070872.tif 000022
【図２１】
2004070872.tif 000023
【図２２】
2004070872.tif 000024
【図２３】
2004070872.tif 000025
【図２４】
2004070872.tif 000026
【図２５】
2004070872.tif 000027